(57)【特許請求の範囲】
【請求項１】
通孔が穿設された流体管の外周に、割型ケースが装着され、流体管内に挿入することにより、流体の流れを遮断する仕切弁装置であって、
前記流体管の底部側の内周面に圧接可能な第１シール部材を外面に取付けた半月状の押圧体と、該押圧体の上部に、前記通孔の内面との間に所要の間隙を形成して上向きに固着された保持体と、該保持体の両側壁に上下方向に列設され、かつ保持体内よりの個々の送り手段の操作により外方に向って進退移動しうる複数の押圧部材と、この押圧部材と流体管の内面との間に設けられた前記第１シール部材と連続する第２シール部材と、前記流体管の通孔を密封可能な前記第２シール部材と連続する第３シール部材と、を備えることを特徴とする仕切弁装置。
【請求項２】
保持体の内部が、外に開放されており、押圧部材を操作者の操作で送り出せるようにした請求項１に記載の仕切弁装置。
【請求項３】
送り手段を、押圧部材に結合された移動筒と、この移動筒に螺合されたねじ杆とからなるねじ送り機構とした請求項１または２に記載の仕切弁装置。
【請求項４】
流体管内に位置する押圧部材の先端面の形状を、流体管の内周面とほぼ同じ曲率の湾曲面とした請求項１ないし３のいずれかに記載の仕切弁装置。
【請求項５】
押圧体及びそれに取付けた第１シール部材を、管軸方向に所要の幅を有する帯状とした請求項１ないし４のいずれかに記載の仕切弁装置。
【請求項６】
保持体の内面に、押圧部材の進退方向と直交する直径方向を向く補強板を固着した請求項１ないし５のいずれかに記載の仕切弁装置。
【請求項７】
仕切弁装置の一部に上流と下流とを連通する連通孔が形成され、保持体内よりこの連通孔を開閉操作可能な遮断弁装置が設けられている請求項１ないし６のいずれかに記載の仕切弁装置。
【発明の詳細な説明】
【０００１】
【発明の属する技術分野】
本発明は、例えば水道本管等の流体管内の流体の流れを一時的に遮断する仕切弁装置に関する。
【０００２】
【従来の技術】
不断水工法により水道本管に遮断弁等を取付ける際に用いられる従来の仕切弁としては、例えば実公昭６４−３９０８号公報、特開平６−１５９５２６号公報に開示されているものがある。
【０００３】
これらの従来の仕切弁は、いずれも外周面にシール部材を保持した押圧体を管内に挿入し、押圧体を上方より強く押込むことにより、シール部材を外方に膨出させて管の内周面に圧接し、止水する構成となっている。
【０００４】
【発明が解決しようとする課題】
上記した従来の仕切弁は、水道管の内径が比較的小さい場合には止水効果が大であるが、管径が大きくなるにしたがって、止水効果が損われるという問題がある。
【０００５】
すなわち、管径が大きくなると、仕切弁に加わる水圧による力も高くなり、しかも、一定方向（上方）からの押圧力では、管軸と直交する横方向の押圧力の不足により、シール部材を均等に管の両側の内周面に圧接することが困難となるからである。
【０００６】
本発明は、上記問題点を解決するためになされたもので、シール部材を横方向より直接管の内周面に押圧することにより、大径の流体管に対しても流体の遮断効果を大幅に向上させることができるようにした仕切弁装置を提供することを目的としている。
【０００７】
【課題を解決するための手段】
本発明の仕切弁装置は、通孔が穿設された流体管の外周に、割型ケースが装着され、流体管内に挿入することにより、流体の流れを遮断する仕切弁装置であって、
前記流体管の底部側の内周面に圧接可能な第１シール部材を外面に取付けた半月状の押圧体と、該押圧体の上部に、前記通孔の内面との間に所要の間隙を形成して上向きに固着された保持体と、該保持体の両側壁に上下方向に列設され、かつ保持体内よりの個々の送り手段の操作により外方に向って進退移動しうる複数の押圧部材と、この押圧部材と流体管の内面との間に設けられた前記第１シール部材と連続する第２シール部材と、前記流体管の通孔を密封可能な前記第２シール部材と連続する第３シール部材と、を備えることを特徴としている。
【０００８】
上記保持体の内部が、外に開放されており、押圧部材を操作者の操作で送り出せるようにするのが好ましい。
【０００９】
上記送り手段を、押圧部材に結合された移動筒と、この移動筒に螺合されたねじ杆とからなるねじ送り機構とするのが好ましい。
【００１０】
上記流体管内に位置する押圧部材の先端面の形状を、流体管の内周面とほぼ同じ曲率の湾曲面とするのが好ましい。
【００１１】
上記押圧体及びそれに取付けた第１シール部材を、管軸方向に所要の幅を有する帯状とするのが好ましい。
【００１２】
上記保持体の内面に、押圧部材の進退方向と直交する直径方向を向く補強板を固着するのが好ましい。
【００１３】
仕切弁装置の一部に上流と下流とを連通する連通孔が形成され、保持体内よりこの連通孔を開閉操作可能な遮断弁装置が設けられていることが好ましい。
【００１４】
本発明によると、上記構成としたことにより、押圧体の第１シール部材を流体管の底部側に圧接させた状態で、個々の押圧部材を流体管の内面に向って移動させると、第２シール部材が外方に膨出して、流体管及び筒部の内面に均一にかつ強く圧接するので、流体の遮断効果が向上する。
【００１５】
【発明の実施の形態】
以下、本発明の実施例を図面に基づいて説明する。図１において、１は、大径の水道本管で、その上面には円形の通孔２が穿設されている。
【００１６】
水道本管１の外周面には、割型継手管である半割円筒形の上下１対のサドル３、４がボルト止めされ、上側のサドル３における水道本管１の通孔２と整合する位置には、円径が通孔２とほぼ等径の筒部３ａが上向きに連接されている。
【００１７】
水道本管１の管内及びサドル３の筒部３ａ内には、本発明の仕切弁装置５が挿入されている。この仕切弁装置５は、図１にも示すように、水道本管１の低部側に位置する押圧体６と、その上面を閉塞する上面板７に下端部が嵌着された円筒形の保持体８と、保持体８の１８０゜対向する両側壁に、水道本管１の両側壁方向を向いて取付けられた複数の押圧装置９と、押圧体６の外周面及び保持体８の周囲を覆うシール部材１０とからなっている。
【００１８】
１１は、保持体８内の下部に、押圧装置と直交する直径方向を向いて固着された補強板である。押圧体６は、水道本管１と同心をなす円弧状に形成されるとともに、管軸方向に所要の幅寸法を有しており、また、管軸方向の両端面を覆い板１２により閉塞することにより、半月状を呈している。６ａは複数の補強板である。
【００１９】
上記シール部材１０の一部をなす第１シール部材１０ａは、押圧体６の円弧面に接着されている。
【００２０】
押圧装置９は、押圧体６の直上からサドル３の筒部３ａのほぼ中間部の領域に亘って上下に複数（本実施例では左右９個ずつ）列設されている。各押圧装置９は、図１に一部破断して示すように、保持体８に内向きに直角に固着された支持筒１３と、これに摺動可能に内嵌された、めねじ孔を有する移動筒１４と、移動筒１４内のめねじに螺合することにより、移動筒１４を左右方向にねじ送りするねじ杆１５と、保持体８の外面において移動筒１４の先端に固着された押圧駒１６とからなっている。
【００２１】
水道本管１内に位置する各押圧駒１６の外面は、管の内径とほぼ同じ曲率半径の湾曲面としてある。
【００２２】
保持体８の周囲に設けた円形をなす第２シール部材１０ｂは、押圧体６に接着された第１シール部材１０ａの上端と連続しており、その内面は各押圧駒１６の外面に接触させてある。
【００２３】
保持体８の上端に連設された拡径部８ａの外周面には、第２シール部材１０ｂと連続して筒部３ａ内の上端部に内周面に圧接する第３シール部材１０ｃが固着されている。
【００２４】
筒部３ａの上端部外周面には、保持体８、すなわち仕切弁装置５全体を仮押さえする複数の押さえボルト１７が求心方向を向いて取付けられている。
【００２５】
１８は、筒部３ａのフランジにボルト止めされた円板状のカバー板で、その下面には、保持体８を押圧する押圧片１８ａが連設されている。
【００２６】
次に上記実施例の作用を説明する。
【００２７】
まず、カバー板１８を取り去った状態で、仕切弁装置５全体を、図１に示すように、押圧体６の下面に固着した第１シール部材１０ａが、水道本管１内の管底に当接するまで挿入する。この際、図１の左半部に示すように、各押圧装置９における押圧駒１６を内方へ最大限移動させておく。
【００２８】
ついで、図１の右半部に示すように、押さえボルト１７をねじ込んで、保持体８を押下し、仕切弁装置５全体を仮押さえしたのち、操作者が各押圧装置９のねじ杆１５を順次操作し、それぞれの押圧駒１６を外方に移動させる。すると、図２に示すように、第２シール部材１０ｂにおける各押圧駒１６に接触している部分が外方に膨出させられ、水道本管１の内面及びサドル３の筒部３ａの内面に圧接する。
【００２９】
水道本管１の底部側と筒部３ａの上端部には、仕切弁装置５全体の仮押さえ時において、それぞれ第１シール部材１０ａと第３シール部材１０ｃとが圧接するので、以上の操作により水道本管１の内周面とサドル３の筒部３ａの内面は完全にシールされる。
【００３０】
最後にカバー板１８を止着して保持体８を押さえれば、仕切弁装置５は安定的に保持され、高い止水効果が得られる。
【００３１】
なお、上記押圧駒１６をねじ送りする移動筒１４のめねじとねじ杆１５とを、多条ねじとしてもよく、このようにすると、ねじ杆１５の回動量に対し押圧駒１６の移動量が大となるので、各ねじ杆１５を操作する際の作業時間が短縮し、作業能率が向上する。
【００３２】
また、実施例では第２シール部材１０ｂを円形としてあるが、例えば図２の想像線で示すように、シール部材とは関係ない管軸方向側が保持体８に当接するだ円形としたり、あるいは管軸方向の一部を切除して、その端部を保持体８に固着するなどしてもよい。
【００３３】
また、支持筒１３は保持体８に直角に固着されているが、この支持筒１３は水道本管やサドルの中心軸から放射状に延びる方向に固着されていてもよく、さらには適宜方向に向いていてもよい。
【００３４】
図３、図４には本発明の他の実施の態様が示されており、前述の実施例と相違する点は、覆い板１２に水道本管１の上下流側を繋ぐ連通孔２０が形成され、さらにその連通孔２０を開閉できる遮断弁装置２１が設けられていることである。
【００３５】
この遮断弁装置２１は仕切弁装置５の保持体８の中に開閉操作用の操作杆２２が延びており、その操作件２２の下方に位置する弁体２３を上下に摺動させることにより、前述の連通孔２０を開閉できるようになっている。
【００３６】
これは、仕切弁装置５を水道本管１内に挿入して止水工事を行うに際し、水道本管１内に流水がある場合、もしくは仕切弁装置５を利用した止水工事中にでも水道本管１に水を流したい場合等に効果的であり、特に止水工事中に弁体２３を開放しておくことにより、仕切弁装置の上流域とその下流域の差圧が少なくなり、仕切弁装置５の水圧による移動や振動を抑えるのに役立つ。
【００３７】
このように遮断弁装置２１の操作杆２２が保持体８内に存在しているため、シールのためのねじ杆１５の操作と連通孔２０の開閉操作が適宜近傍で行えることになり、操作性が向上し、水道本管の迅速な仕切作業が可能となる。
【００３８】
また、仕切弁装置を流体管から取外す時も、開閉弁２３を開放することにより水圧抵抗を弱めて迅速な取外しが可能となる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
【発明の効果】
本発明は次の効果を奏する。
【００４１】
（ａ）押圧体の第１シール部材を流体管の底部側に圧接させた状態で、個々の押圧部材を外方に移動させれば、第２シール部材が流体管内面に沿って確実に膨出させられて、流体管の両側内面に強く圧接するので、たとえ流体管が大径であっても、流体の遮断効果が大幅に向上する。
【００４２】
（ｂ）請求項２に記載の発明によると、操作者がシール具合を確かめながら、作業ができるため、シール性が向上するとともに、大径の流体管の場合には人が保持体内に入って作業することもできることから、大径の流体管の止水作業に好適である。
【００４３】
（ｃ）請求項３に記載の発明によると、簡単な構成で押圧部材の進退移動を確実に行うことができる。
【００４４】
（ｄ）請求項４に記載の発明によると、第２シール部材の流体管への密着性が向上するとともに、押圧時に第２シール部材に損傷を与えることもない。
【００４５】
（ｅ）請求項５に記載の発明によると、シール面積が大となるので、流体の遮断効果がより高まる。
【００４６】
（ｆ）請求項６に記載の発明によると、押圧部材が第２シール部材を介して流体管及び筒部に当接した際の反力により、保持体が変形するのを防止することができる。
【００４７】
（ｇ）請求項７に記載の発明によると、仕切弁装置のシール作業と、流水管の上流域と下流域との圧力差のコントロールとをほぼ近傍で行えるため、作業性が向上する。
【００４８】
【図面の簡単な説明】
【図１】本発明の一実施例を示す一部切欠正面図で、左半部は止水前の状態、右半部は止水時の状態を示している。
【図２】同じく図１におけるＩＩ−ＩＩ線に沿う横断平面図である。
【図３】本発明の他の実施例を示す図１に対応する一部切欠正面図である。
【図４】図３のＩＩ−ＩＩ線に沿う横断平面図である。
【符号の説明】
１          水道本管（流体管）
２          通孔
３、４      サドル（割型継手管）
３ａ        筒部
５          仕切弁装置
６          押圧体
６ａ        補強板
７          上面板
８          保持体
８ａ        拡径部
９          押圧装置
１０          シール部材
１０ａ        第１シール部材
１０ｂ        第２シール部材
１０ｃ        第３シール部材
１１          補強板
１２          覆い板
１３          支持筒
１４          移動筒
１５          ねじ杆
１６          押圧駒（押圧部材）
１７          押さえボルト
１８          カバー体
２０          連通孔
２１          遮断弁装置
２２          操作杆
２３          開閉弁
【図１】
0003579185.tif 000002
【図２】
0003579185.tif 000003
【図３】
0003579185.tif 000004
【図４】
0003579185.tif 000005